(57)【特許請求の範囲】
【請求項１】
磁性体から成るボルト、ナット又はワッシャーを保持する保持部と、前記保持部を吊り下げ可能に接続した吊着部とから成るものを少なくとも２組設け、
前記各組の保持部は前記ボルトの頭体平面を吸着して当該ボルトを支持可能で、かつナット又はワッシャーの側面を支持可能な板状の磁石と、当該磁石を保持する枠体を有し、
前記各組の吊着部は可とう性を有するものから成り、その一端は前記各組の保持部の枠体に設けた回転継ぎ手に接続したことを特徴とする、ボルト・ナット・ワッシャーの落下防止具。
【請求項２】
前記少なくとも２組の内の少なくとも１組の保持部は磁石を保持する枠体がＬ型金具を有し、当該Ｌ型金具の一方の片の内側に前記磁石を設け、他方の片に前記回転継ぎ手を設け、この回転継ぎ手は前記他方の片に直角に回転軸を軸支し、当該回転軸の一端に前記吊着部の一端を接続したことを特徴とする、請求項１に記載のボルト・ナット・ワッシャーの落下防止具。
【請求項３】
前記磁石がメッキを施した鉄製のキャップ状の枠体で円盤状の磁石体の外周を被ったネオジキャップであることを特徴とする、請求項１又は２に記載のボルト・ナット・ワッシャーの落下防止具。
【発明の詳細な説明】
【技術分野】
【０００１】
この発明は、鉄塔等の高所作業においてボルト、ナット等の落下を防止する落下防止具に関するものである。
【背景技術】
【０００２】
鉄塔などの高所作業時には、高所での工具類、資材の取り扱い時の落下防止対策を施してきた。その方法は、小ロープや落下防止用工具を使用して行ってきた。この小ロープや落下防止用工具を使用して作業する場合には、その小ロープ及び落下防止工具を作業中切れ目なく使用しなければならない。また、前記落下防止対策が施せないボルト・ナット等の小物類については、蓋付きの工具袋などを使用して作業を行ってきた。
【０００３】
しかし、上記ボルト・ナット等の小物は上げ下げ時には工具袋を使用して行われるが、ボルトの取り付け作業や取り外し作業の際は、落下防止対策を施せない状況が発生する。この様な場合、通常は、大口の工具袋を作業直下に設置することで対応しているが、近年、重要横過物件の近接工事や住宅密集地での工事が多く、この様な工事においては落下物は絶対避けなければならず、より完全かつ確実な落下防止対策が望まれている。
【０００４】
そこで、特許文献１に示すように、ボルト又はナットを保持する保持部と、前記保持部に接続され該保持部を吊下しうる吊着部とを備え、前記保持部は、一端が開口した筒体を有し、ボルト又はナットを当該筒体内に保持する落下防止具が開発されている。
【０００５】
また、特許文献２に示すように、ボルト又はナットを保持する保持部と、前記保持部に接続され該保持部を吊下しうる吊着部とを備え、前記保持部は、ボルト又はナットを回転不能に挿入しうる有底穴を有する基体と、ボルト又はナットを回転不能に挿入しうる貫通穴を有するシャッターと、前記有底穴と前記貫通穴との中心軸を一致させた状態で前記シャッターと前記基体とを相対的に回転させる回転機構と、を有する落下防止具が開発されている。
【０００６】
【特許文献１】特開２００９−４１７４１号公報
【特許文献２】特開２００９−４１７４２号公報
【発明の開示】
【発明が解決しようとする課題】
【０００７】
前記特許文献１の落下防止具は、保持部でボルト頭体やナットを保持するため、一端が開口した筒体を設け、この筒体内にボルト頭体やナットを嵌め入れてこれを保持するため、この筒体側面に弾性を持たせたり、内部にフランジを設けて、筒体内にボルト頭体やナットを係止し、これらが外れないように工夫している。従って、構造も複雑で、ボルト頭体やナットを前記筒体内に嵌める作業が容易ではなく、煩雑である。
【０００８】
また、前記特許文献２の落下防止具においても、前記保持部は、ボルト又はナットを回転不能に挿入しうる有底穴を有する基体と、ボルト又はナットを回転不能に挿入しうる貫通穴を有するシャッターと、前記シャッターと前記基体とを相対的に回転させる回転機構とを有する複雑な構成とともに、作業者の操作にあたっては、前記シャッターを回してその状態を保持しつつ貫通孔からボルト頭体やナットを基体の有底穴に挿入したり取り出したりする手間がかかり、作業の煩雑さは、前記特許文献１と同様である。
【０００９】
送電線工事等において部材接続や切り離し時に使用するボルト・ナットの取り扱い量が多くなると前記の落下防止具では作業効率が低下することが予想される。このことから高所作業において可能な限り簡単な作業で安全確実に落下防止ができる工具が望まれる。また、形状の異なるすべてのボルト・ナット・ＴＧナット等に対応する工具が望まれる。
【００１０】
そこで、この発明はボルト、ナット、ワッシャー等の小物が鉄でできていることに着眼し、強力な磁力で吸着するマグネットを使用することにより構造が簡単で、ボルト頭体やナットの係止作業がきわめて容易かつ確実なボルト・ナット等の落下防止具を提供することを目的としたものである。
【課題を解決するための手段】
【００１１】
請求項１の発明は、磁性体から成るボルト、ナット又はワッシャーを保持する保持部と、前記保持部を吊り下げ可能に接続した吊着部とから成るものを少なくとも２組設け、前記各組の保持部は前記ボルトの頭体平面を吸着して当該ボルトを支持可能で、かつナット又はワッシャーの側面を支持可能な板状の磁石と、当該磁石を保持する枠体を有し、前記各組の吊着部は可とう性を有するものから成り、その一端は前記各組の保持部の枠体に設けた回転継ぎ手に接続したボルト・ナット・ワッシャーの落下防止具とした。
【００１２】
また、請求項２の発明は、前記請求項１の発明において、前記少なくとも２組の内の少なくとも１組の保持部は磁石を保持する枠体がＬ型金具を有し、当該Ｌ型金具の一方の片の内側に前記磁石を設け、他方の片に前記回転継ぎ手を設け、この回転継ぎ手は前記他方の片に直角に回転軸を軸支し、当該回転軸の一端に前記吊着部の一端を接続したボルト・ナット・ワッシャーの落下防止具とした。
【００１３】
また、請求項３の発明は、前記磁石がメッキを施した鉄製のキャップ状の枠体で円盤状の磁石体の外周を被ったネオジキャップである、請求項１又は２に記載のボルト・ナット・ワッシャーの落下防止具とした。
【発明の効果】
【００１４】
請求項１の発明によれば、この発明のボルト・ナット・ワッシャーの落下防止具の１組の保持部にボルトの頭体を係止し、他の組の保持部にナット又はワッシャーを係止するが、これらのボルト及びナット等の係止は、各保持部の磁石で吸着させるため、作業者の作業は極めて容易かつ迅速にでき、さらに確実である。また、この作業は、工具袋等の袋の中で行うことができるため、これらの係止作業の後に工具袋から、夫々吊着部につながったボルト及びナット等を引き出せばよく、これらのボルト又はナット等が外部に落下する恐れがない。さらに、当該ボルトを部材の孔等に通し、そのボルトの端部にナット等を螺着して数回回すまで、この発明の落下防止具の保持部にボルト、ナット等を係止しておくことができ、これらの作業中にもボルトやナット等が落下する恐れがない。また、吊着部は保持部に対して回転自在に接続されかつ可とう性を有するため、ナット等を回す際、吊着部が邪魔にならない。
【００１５】
従って、ボルト、ナット、ワッシャーを安全に、落下させずに工具袋から取り出し、これらを所定の箇所に取り付けるまで保持することができる。そして、ナットのボルトに対する締め付けの際は、当該落下防止具を外し、工具等でナット等を締め付けることができる。また、これらのボルト、ナット等の取り外しの際も、工具等でナット等を緩めておき、その後、当該落下防止具をボルト、ナット等に係止した状態でこれらを取り外し、工具袋に入れてこれらのボルト、ナット、ワッシャーを落下防止具から取り外すことができ、これらのボルト、ナット、ワッシャーの落下防止を確実に行える。さらに、この落下防止具においては、ボルト、ナット等を磁石で係止するため係止するボルト、ナット、ワッシャー等の大きさや形状が異なっても広範囲で使用することができる。
【００１６】
また、請求項２の発明によれば、前記請求項１の効果に加え、少なくとも１組の保持部にＬ型金具及びこのＬ型金具に回転継ぎ手を有するため、この保持部にナット等の側面を係止すれば、当該ナット等を回転させても、当該保持部に接続された吊着部が回転せず、吊着部がよじれたりすることなく、作業性がより向上する。
【００１７】
また、請求項３の発明によれば、保持部に使用している磁石がネオジキャップ式の磁石であるため、磁力がきわめて強力であり、ボルトやナット等を強力に吸着し、落下防止効果がより確実である。
【発明を実施するための最良の形態】
【００１８】
この発明は、ボルトやナット等の磁性体から成る小物を保持する保持部と、前記保持部を吊り下げ可能に接続した吊着部とから成るものを少なくとも２組設け、前記各組の保持部は前記ボルトの頭体平面を吸着して当該ボルトを支持可能で、かつナット等の小物の側面を支持可能な板状の磁石と、当該磁石を保持する枠体を有し、前記各組の吊着部は可とう性を有するものから成り、その一端は前記各保持部の枠体に設けた回転継ぎ手に固定したもので、これにより、構造が簡単で、ボルト頭体やナット等の小物の係止作業がきわめて容易かつ確実なボルト・ナット等の落下防止具とした。
【実施例１】
【００１９】
以下、この発明の実施例１を図に基づいて説明する。図１はこの発明の落下防止具の斜視図、図２はこの発明の落下防止具のボルト及びナットを保持した状態を示す斜視図、図３はこの発明の落下防止具の使用状態を示す斜視図である。
【００２０】
この発明の落下防止具１は、保持部２と、当該保持部２を吊り下げ可能に接続した吊着部３とで１組を成し、これを２組用意している。各組の保持部２は、ボルトの頭体平面を吸着して当該ボルトを支持可能で、かつナット等の小物の側面を支持可能な円盤状の磁石２ａと、当該磁石２を被冠、保持するキャップ状の枠体２ｂとからなり、前記磁石２ａの一側面はキャップ状の枠体２ｂの開口部から露出している。また、この磁石２ａ及びキャップ状の枠体２ｂによりネオジキャップ式マグネットを構成している。また、前記キャップ状の枠体２ｂの裏面中央には、段付きピンから成る回転継ぎ手２ｃが設けられている。この回転継ぎ手２ｃは、前記枠体２ｂに対して直角な回転軸を有し、この回転軸が枠体２ｂに対して回転自在となっている。
【００２１】
前記各組の吊着部３は、前記保持部２の回転継ぎ手２ｃの孔に通したダブルリンク３ａと、当該ダブルリンク３ａに一端を接続したセーフティコード３ｂとから成る。このセーフティコード３ｂは両端に開閉扉付きのフック３ｃを有し、前記ダブルリンク３ａは一方のフック３ｃに掛けられている。従って、前記回転継ぎ手２ｃは、キャップ状の枠体２ｂに対して直角な回転軸によって回転自在となっているので、ダブルリンク３ａは保持部２に対して回転自在である。なお、この吊着部３の部材は非磁性体が好ましい。
【００２２】
作業に当たっては、前記２組のセーフティコード３ｂの一端のフック３ｃを予め作業者の工具袋又は胴綱に取り付けておき、前記工具袋に入っているボルト及びナットを、図２に示すように、一方の組の保持部２の磁石２ａにボルト４の頭体４ａの平面部を吸着させ、他方の組の保持部２の磁石２ａにナット５の側面を吸着させ、これらを保持しておく。そして、ボルト４及びナット５が落下防止具１のセーフティコード３ｂに接続されていることを確認し、図３に示すように、ボルト４を所定の部材６の孔に挿入し、当該部材５の反対側から突出したボルト４の端部にナット５を螺着する。
【００２３】
この間、ボルト４及びナット５は夫々磁石２ａに吸着、保持されているので、万一作業者の手からボルト４又はナット５が離れても、当該落下防止具１に保持されているため、ボルト４又はナット５は下方に落下しない。さらに、図３に示す状態で、ボルト４が回転しても、保持部２の回転継ぎ手２ｃがキャップ状の枠体２ｂの中央部で回転自在に軸支されているため、ボルト４の回転がフック３ｃ及びセーフティコード３ｂに伝わらず、セーフティコード３ｂがよれたり捩じれたりすることがない。また、前記ナット５をボルト４の外周に沿って数回回転させても、このナット５を保持したセーフティコード３ｂも左程よじれない。
【実施例２】
【００２４】
次に、この発明の実施例２を説明する。図４は、この発明の落下防止具の斜視図であり、図５はこの発明の落下防止具の使用状態を示す斜視図である。
【００２５】
この実施例２では、一方の組の保持部２のキャップ状の枠体２ｂの裏面に、スイベル型の回転継ぎ手２ｄを、キャップ状の枠体２ｂに対して直角な回転軸により回転自在に設け、当該回転継ぎ手２ｄに前記吊着部３の開閉扉付きフック３ｃを掛け、また、他方の組の保持部２のキャップ状の枠体２ｂをＬ型金具７の一方の片７ａの内側に設け、当該Ｌ型金具の他方の片７ｂにスイベル型の回転継ぎ手８を設け、この回転継ぎ手８は前記他方の片７ｂに直角に回転軸８ａを軸支し、当該回転軸８ａの一端に前記吊着部３の一端の開閉扉付きのフック３ｃを掛けたボルト・ナット等の落下防止具とした。他の構成は実施例１と同じである。
【００２６】
作業に当たっては、前記２組のセーフティコード３ｂの一端のフック３ｃを予め作業者の工具袋又は胴綱に取り付けておき、前記工具袋に入っているボルト及びナットを一方の組の保持部２の磁石２ａにボルト４の頭体４ａの平面部を吸着させ、他方の組のＬ型金具７を有する保持部２の磁石２ａにナット５の側面を吸着させ、これらを保持しておく。そして、ボルト４及びナット５が落下防止具１のセーフティコード３ｂに接続されていることを確認し、図５に示すように、ボルト４を所定の部材６の孔に挿入し、当該部材６の反対側から突出したボルト４の端部にナット５を螺着する。
【００２７】
この間、ボルト４及びナット５は夫々磁石２ａに吸着、保持されているので、万一作業者の手からボルト４又はナット５が離れても、当該落下防止具１に保持されているため、ボルト４又はナット５は下方に落下しない。さらに、図５に示す状態で、ボルト４が回転しても、保持部２の回転継ぎ手２ｄがキャップ状の枠体２ｂに対して回転自在となっているため、ボルト４の回転がフック３ｃ及びセーフティコード３ｂに伝わらず、セーフティコード３ｂがよれたり捩じれたりすることがない。また、前記ナット５をボルト４の外周に沿って数回回転させるとＬ型金具７は回転しても、前記ナット５の回転中心と当該Ｌ型金具７に回転自在に接続された回転継ぎ手８の中心とがほぼ同一線上に位置し、当該回転継ぎ手８が回転せず、このナット５を保持したセーフティコード３ｂもよじれたりしない。
【００２８】
なお、上記実施例１及び２では、保持部２にボルト及びナットを夫々係止したが、これらに限らず、ワッシャー等の磁性体から成る小物を係止することもできる。また、上記実施例１及び２では、保持部と吊着部とから成るものを２組としたが、これは３組でも４組でもよい。他の組の保持部に前記ワッシャー等を係止し、前記ボルト、ナットの締め付けの際、ナットの内側にワッシャー等を介在させることもある。
【図面の簡単な説明】
【００２９】
【図１】この発明の実施例１の落下防止具の斜視図である。
【図２】この発明の実施例１の落下防止具にボルト・ナットを保持した状態を示す斜視図である。
【図３】この発明の実施例１の落下防止具の使用状態を示す斜視図である。
【図４】この発明の実施例２の落下防止具の斜視図である。
【図５】この発明の実施例２の落下防止具の使用状態を示す斜視図である。
【符号の説明】
【００３０】
１      落下防止具              ２      保持部     
２ａ    磁石                    ２ｂ    キャップ状の枠体
２ｃ    回転継ぎ手              ２ｄ    回転継ぎ手
３      吊着部                  ３ａ    ダブルリンク
３ｂ    セーフティコード        ３ｃ    開閉扉付きフック
４      ボルト                  ４ａ    ボルト頭体
５      ナット                  ６      部材
７      Ｌ型金具                ７ａ    一方の片
７ｂ    他方の片                ８      回転継ぎ手
【図１】
0005424839.tif 000002
【図２】
0005424839.tif 000003
【図３】
0005424839.tif 000004
【図４】
0005424839.tif 000005
【図５】
0005424839.tif 000006